(57)【特許請求の範囲】
【請求項１】
モバイル（インターネットプロトコル）ＩＰネットワークのＩＰマルチメディアサブシステム（ＩＭＳ）セッションにモビリティを供給する方法であって、
３ＧＰＰアクセスを通じてアクセスポイントネーム（ＡＰＮ）に接続することと、
非３ＧＰＰアクセスが利用可能かどうか決定することと、
前記ＡＰＮが使用しているまたは使用することを望むＩＭＳアプリケーションに特有であるか、またはＩＭＳアプリケーションフローのＩＰヘッダが構成されたパターンとマッチするか、のうちの少なくとも１つを決定することと、
ａ）前記ＡＰＮが前記ＩＭＳアプリケーションに特有である場合または前記ＩＭＳアプリケーションフローの前記ＩＰヘッダが前記構成されたパターンとマッチする場合、のうちの１つに基づいて前記ＩＭＳアプリケーションのための前記非３ＧＰＰアクセスを介してＩＭＳセッション連続性（ＳＣ）フローをトリガすることと、または
ｂ）前記ＡＰＮがＩＭＳアプリケーションに特有でなく、前記ＩＭＳアプリケーションフローの前記ＩＰヘッダが前記構成されたパターンとマッチしない場合、前記ＩＭＳアプリケーションまたは非ＩＭＳアプリケーションのための前記非３ＧＰＰアクセスを通じてＩＰモビリティフローをトリガすることと、
のうちの１つを実行することと、
を備える方法。
【請求項２】
前記ＡＰＮが前記ＩＭＳアプリケーションに特有かどうか決定するためにアクセスネットワーク発見および選択機能（ＡＮＤＳＦ）を使用することをさらに備える、
請求項１に記載の方法。
【請求項３】
前記非３ＧＰＰアクセスが利用可能かどうか決定するステップは、前記非３ＧＰＰアクセスが利用可能であるという受信信号インジケーションに基づく、
請求項１に記載の方法。
【請求項４】
前記ＩＭＳ  ＳＣフローをトリガするために公衆データネットワーク（ＰＤＮ）接続から第２のアクセスポイントネーム（ＡＰＮ）への新規のＩＰアドレスを取得することをさらに備える、
請求項１に記載の方法。
【請求項５】
前記ＡＰＮに特有な前記ＩＭＳアプリケーションのリストは、前記ＡＰＮが前記ＩＭＳアプリケーションに特有かどうか決定するために使用される、
請求項４に記載の方法。
【請求項６】
前記ＡＰＮが第２のＩＭＳアプリケーションに特有かどうか決定することをさらに備える、
請求項５に記載の方法。
【請求項７】
前記ＩＰモビリティフローをトリガするためにＤＳＭＩＰｖ６プロトコルまたはＰＭＩＰｖ６プロトコルを使用することをさらに備える、
請求項１に記載の方法。
【請求項８】
モバイル（インターネットプロトコル）ＩＰネットワークのＩＰマルチメディアサブシステム（ＩＭＳ）セッションにモビリティを供給するユーザ装置であって、プロセッサとメモリを備え、前記メモリは、
３ＧＰＰアクセスを通じてアクセスポイントネーム（ＡＰＮ）に接続することと、
非３ＧＰＰアクセスが利用可能かどうか決定することと、
前記ＡＰＮが使用しているまたは使用することを望むＩＭＳアプリケーションに特有であるか、またはＩＭＳアプリケーションフローのＩＰヘッダが構成されたパターンとマッチするか、のうちの少なくとも１つを決定することと、
ａ）前記ＡＰＮが前記ＩＭＳアプリケーションに特有である場合または前記ＩＭＳアプリケーションフローの前記ＩＰヘッダが前記構成されたパターンとマッチする場合、のうちの１つに基づいて前記ＩＭＳアプリケーションのための前記非３ＧＰＰアクセスを介してＩＭＳセッション連続性（ＳＣ）フローをトリガすることと、または
ｂ）前記ＡＰＮがＩＭＳアプリケーションに特有でなく、前記ＩＭＳアプリケーションフローの前記ＩＰヘッダが前記構成されたパターンとマッチしない場合、前記ＩＭＳアプリケーションまたは非ＩＭＳアプリケーションのための前記非３ＧＰＰアクセスを通じてＩＰモビリティフローをトリガすることと、
のうちの１つを実行することと、
を実行させるための前記プロセッサによって実行可能なプログラムコードを含む、ユーザ装置。
【請求項９】
前記メモリは、前記ＩＭＳ  ＳＣフローをトリガするための公衆データネットワーク（ＰＤＮ）接続から第２のアクセスポイントネーム（ＡＰＮ）への新規のＩＰアドレスを取得するためのプログラムコードをさらに備える、
請求項８に記載のユーザ装置。
【請求項１０】
前記第２のＡＰＮは、前記ＡＰＮと同じである、
請求項９に記載のユーザ装置。
【請求項１１】
前記メモリは、前記ＩＰモビリティフローをトリガするためにＤＳＭＩＰｖ６プロトコルまたはＰＭＩＰｖ６プロトコルを使用するためのプログラムコードをさらに備える、
請求項８に記載のユーザ装置。
【請求項１２】
前記ＡＰＮがＩＰマルチメディアサブシステム（ＩＭＳ）アクセスポイントネーム（ＡＰＮ）である、
請求項８に記載のユーザ装置。
【請求項１３】
前記メモリは、前記ＡＰＮが前記ＩＭＳアプリケーションに特有かどうか決定するために前記ＡＰＮに特有なＩＭＳアプリケーションのリストを使用するためのプログラムコードをさらに備える、
請求項１２に記載のユーザ装置。
【請求項１４】
前記メモリは、前記ＩＭＳ  ＳＣフローと関連する１つまたは複数のＡＰＮ、またはＩＰモビリティフローに関連する１つまたは複数のＡＰＮ、を有するＡＰＮのリストを含むデータ構造を定義するためのプログラムコードをさらに備える、
請求項８に記載のユーザ装置。
【請求項１５】
モバイル（インターネットプロトコル）ＩＰネットワークのＩＰマルチメディアサブシステム（ＩＭＳ）セッションにモビリティを供給する装置であって、
３ＧＰＰアクセスを通じてアクセスポイントネーム（ＡＰＮ）に接続するための手段と、
非３ＧＰＰアクセスが利用可能かどうか決定するための手段と、
前記ＡＰＮが使用しているまたは使用することを望むＩＭＳアプリケーションに特有であるか、またはＩＭＳアプリケーションフローのＩＰヘッダが構成されたパターンとマッチするか、のうちの少なくとも１つを決定するための手段と、
ａ）前記ＡＰＮが前記ＩＭＳアプリケーションに特有である場合または前記ＩＭＳアプリケーションフローの前記ＩＰヘッダが前記構成されたパターンとマッチする場合、のうちの１つに基づいて前記ＩＭＳアプリケーションのための前記非３ＧＰＰアクセスを介してＩＭＳセッション連続性（ＳＣ）フローをトリガすることと、または
ｂ）前記ＡＰＮがＩＭＳアプリケーションに特有でなく、前記ＩＭＳアプリケーションフローの前記ＩＰヘッダが前記構成されたパターンとマッチしない場合、前記ＩＭＳアプリケーションまたは非ＩＭＳアプリケーションのための前記非３ＧＰＰアクセスを通じてＩＰモビリティフローをトリガすることと、
のうちの１つを実行するための手段と、
を備える装置。
【請求項１６】
前記ＩＭＳ  ＳＣフローをトリガするための手段は、公衆データネットワーク（ＰＤＮ）接続から第２のアクセスポイントネーム（ＡＰＮ）への新規のＩＰアドレスを取得するための手段をさらに備える、
請求項１５に記載の装置。
【請求項１７】
前記ＩＰモビリティフローをトリガするための手段は、前記ＩＰモビリティフローをトリガするためにＤＳＭＩＰｖ６プロトコルまたはＰＭＩＰｖ６プロトコルを使用することをさらに備える、
請求項１５に記載の装置。
【請求項１８】
前記ＩＭＳアプリケーションは、マルチメディアサービスである、
請求項１５に記載の装置。
【請求項１９】
コンピュータプログラムを格納するコンピュータ可読媒体であって、前記コンピュータプログラムの実行は、
３ＧＰＰアクセスを通じてアクセスポイントネーム（ＡＰＮ）に接続し、
非３ＧＰＰアクセスが利用可能かどうか決定し、
前記ＡＰＮが使用しているまたは使用することを望むＩＭＳアプリケーションに特有であるか、またはＩＭＳアプリケーションフローのＩＰヘッダが構成されたパターンとマッチするか、のうちの少なくとも１つを決定し、
ａ）前記ＡＰＮが前記ＩＭＳアプリケーションに特有である場合または前記ＩＭＳアプリケーションフローの前記ＩＰヘッダが前記構成されたパターンとマッチする場合、のうちの１つに基づいて前記ＩＭＳアプリケーションのための前記非３ＧＰＰアクセスを介してＩＭＳセッション連続性（ＳＣ）フローをトリガすることと、または
ｂ）前記ＡＰＮがＩＭＳアプリケーションに特有でなく、前記ＩＭＳアプリケーションフローの前記ＩＰヘッダが前記構成されたパターンとマッチしない場合、前記ＩＭＳアプリケーションまたは非ＩＭＳアプリケーションのための前記非３ＧＰＰアクセスを通じてＩＰモビリティフローをトリガすることと、
のうちの１つを実行する、
ためのものである、コンピュータ可読媒体。
【請求項２０】
前記コンピュータプログラムの実行は、さらに、前記ＡＰＮが前記ＩＭＳアプリケーションに特有かどうか決定するためにアクセスネットワーク発見および選択機能（ＡＮＤＳＦ）を使用するためのものである、
請求項１９に記載のコンピュータ可読媒体。
【発明の詳細な説明】
【関連出願】
【０００１】
米国特許法第１１９条に基づく優先権の主張    本特許出願は、本出願の譲受人に譲渡され、参照により本明細書に明確に組み込まれる、２００８年１２月８日に出願された「Method to Provide Mobility to IMS Sessions in Mobile IP Networks」と題する米国仮出願第６１／１２０，６７９号の優先権を主張する。
【技術分野】
【０００２】
本開示は、一般にＩＰモビリティのための装置および方法に関する。特に、本開示は、モバイルＩＰ（インターネットプロトコル）ネットワークのＩＰマルチメディアサブシステム（ＩＭＳ）セッションにモビリティを提供することに関する。
【背景技術】
【０００３】
多くの通信システムでは、通信ネットワークは、いくつかの相互作用する空間分離されたデバイスまたはネットワークノードの間でメッセージの移送を可能にするために使用される。ネットワークタイプは、異なる態様によって分類され得る。１つの例において、ネットワークの地理的範囲は、広域、メトロポリタンエリア、ローカルエリアまたはパーソナルエリアにわたり、対応するネットワークは、広域ネットワーク（ＷＡＮ）、メトロポリタンエリアネットワーク（ＭＡＮ）、ローカルエリアネットワーク（ＬＡＮ）またはパーソナルエリアネットワーク（ＰＡＮ）として表わすだろう。ネットワークは、さらに、様々なネットワークノードおよびデバイスと相互接続するために使用されるスイッチングまたはルーティング（例えば、回路スイッチング対パケットスイッチング）、送信のために用いられる物理メディアのタイプ（例えば、有線またはワイヤレス）、または使用される通信プロトコルのセット（例えば、インターネットプロトコルスイート、ＳＯＮＥＴ（同期光学ネットワーキング（Synchronous Optical Networking））、非同期転送モード（ＡＴＭ）イーサネット（登録商標）、など）で識別され得る。
【０００４】
通信ネットワークの１つの重要な特徴は、ネットワークの構成の間での有線またはワイヤレス送信メディアの選択である。有線ネットワークの場合、銅線、同軸ケーブル、導波管、光ファイバケーブル、などのような実体的物理メディアは、ある距離にわたってメッセージトラフィックを伝達するガイドされた電磁波形を伝播するために用いられる。有線ネットワークは、しばしば、固定ネットワークエレメントの相互接続またはバルクデータ送信機のために好都合である。例えば、光ファイバケーブルは、しばしば、地表にわたる大陸横断または大陸間バルクデータ移送のような、大きなネットワークハブ間の長距離にわたる非常に高いスループット移送アプリケーションのための好ましい送信メディアである。
【０００５】
一方、ネットワークエレメントが動的接続性を必要とするモバイルである場合、またはネットワークアーキテクチャが固定されるよりもむしろアドホックトポロジーで形成される場合、ワイヤレスネットワークは、しばしば好ましいものとなる。ワイヤレスネットワークは、無線の電磁波、マイクロ波、赤外線、光学、などの周波数帯を使用してガイドされていない伝播モードの実体的物理メディアを用いる。ワイヤレスネットワークは、固定された有線ネットワークと比較してすばやいフィールド配置およびユーザモビリティを容易にするはっきりした利点を有する。しかしながら、ワイヤレス伝播の使用は、ネットワークユーザの間で重要なアクティブリソース管理および互換性のあるスペクトル利用のための高レベルな相互調整と相互協調を要求する。
【発明の概要】
【０００６】
モバイル（インターネットプロトコル）ＩＰネットワークのＩＰマルチキャリアサブシステム（ＩＭＳ）セッションにモビリティを提供するための装置および方法が開示される。１つの態様に従って、モバイル（インターネットプロトコル）ＩＰネットワークのＩＰマルチキャリアサブシステム（ＩＭＳ）セッションにモビリティを提供するための方法であって、方法は、３ＧＰＰアクセスを通じてアクセスポイントネーム（ＡＰＮ）に接続することと、非３ＧＰＰアクセスが利用可能かどうか決定することと、ＡＰＮが使用されているまたは使用されることを望むＩＭＳアプリケーションに対して特有であるかどうか、またはＩＭＳアプリケーションフローのＩＰヘッダが構成されたパターンとマッチするかどうか、のうちの少なくとも１つを決定することと、ａ）ＡＰＮが使用されているまたは使用されることを望むＩＭＳアプリケーションに対して特有である場合、またはＩＭＳアプリケーションフローのＩＰヘッダが構成されたパターンとマッチする場合、のうちの１つに基づいてＩＭＳアプリケーションのための非３ＧＰＰアクセスを通じてＩＭＳセッション連続性（ＳＣ）フローをトリガすることと、またはｂ）ＡＰＮがＩＭＳアプリケーションに対して特有でなく、ＩＭＳアプリケーションフローのＩＰヘッダが構成されたパターンにマッチしない場合、ＩＭＳアプリケーションまたは非ＩＭＳアプリケーションのための非３ＧＰＰアクセスを通じてＩＰモビリティフローをトリガすることと、のうちの１つを実行することと、を備える。
【０００７】
別の態様に従って、モバイル（インターネットプロトコル）ＩＰネットワークのＩＰマルチキャリアサブシステム（ＩＭＳ）セッションにモビリティを提供するためのユーザ装置であって、ユーザ装置は、プロセッサとメモリを備え、メモリは、３ＧＰＰアクセスを通じてアクセスポイントネーム（ＡＰＮ）に接続することと、非３ＧＰＰアクセスが利用可能かどうか決定することと、ＡＰＮが使用されているまたは使用されることを望むＩＭＳアプリケーションに対して特有であるかどうか、またはＩＭＳアプリケーションフローのＩＰヘッダが構成されたパターンとマッチするかどうか、のうちの少なくとも１つを決定することと、ａ）ＡＰＮが使用されているまたは使用されることを望むＩＭＳアプリケーションに対して特有である場合、またはＩＭＳアプリケーションフローのＩＰヘッダが構成されたパターンとマッチする場合、のうちの１つに基づいてＩＭＳアプリケーションのための非３ＧＰＰアクセスを通じてＩＭＳセッション連続性（ＳＣ）フローをトリガすることと、またはｂ）ＡＰＮがＩＭＳアプリケーションに対して特有でなく、ＩＭＳアプリケーションフローのＩＰヘッダが構成されたパターンにマッチしない場合、ＩＭＳアプリケーションまたは非ＩＭＳアプリケーションのための非３ＧＰＰアクセスを通じてＩＰモビリティフローをトリガすることと、のうちの１つを実行することと、を実行するためにプロセッサによって実行可能なプログラムコードを含む。
【０００８】
別の態様に従って、モバイル（インターネットプロトコル）ＩＰネットワークのＩＰマルチキャリアサブシステム（ＩＭＳ）セッションにモビリティを提供するための装置であって、装置は、３ＧＰＰアクセスを通じてアクセスポイントネーム（ＡＰＮ）に接続するための手段と、非３ＧＰＰアクセスが利用可能かどうか決定するための手段と、ＡＰＮが使用されているまたは使用されることを望むＩＭＳアプリケーションに対して特有であるかどうか、またはＩＭＳアプリケーションフローのＩＰヘッダが構成されたパターンとマッチするかどうか、のうちの少なくとも１つを決定するための手段と、ａ）ＡＰＮが使用されているまたは使用されることを望むＩＭＳアプリケーションに対して特有である場合、またはＩＭＳアプリケーションフローのＩＰヘッダが構成されたパターンとマッチする場合、のうちの１つに基づいてＩＭＳアプリケーションのための非３ＧＰＰアクセスを通じてＩＭＳセッション連続性（ＳＣ）フローをトリガすることと、またはｂ）ＡＰＮがＩＭＳアプリケーションに対して特有でなく、ＩＭＳアプリケーションフローのＩＰヘッダが構成されたパターンにマッチしない場合、ＩＭＳアプリケーションまたは非ＩＭＳアプリケーションのための非３ＧＰＰアクセスを通じてＩＰモビリティフローをトリガすることと、のうちの１つを実行するための手段と、を備える。
【０００９】
別の態様に従って、コンピュータプログラムを格納するコンピュータ可読媒体であって、コンピュータプログラムの実行は、３ＧＰＰアクセスを通じてアクセスポイントネーム（ＡＰＮ）に接続し、非３ＧＰＰアクセスが利用可能かどうか決定し、ＡＰＮが使用されているまたは使用されることを望むＩＭＳアプリケーションに対して特有であるかどうか、またはＩＭＳアプリケーションフローのＩＰヘッダが構成されたパターンとマッチするかどうか、のうちの少なくとも１つを決定し、ａ）ＡＰＮが使用されているまたは使用されることを望むＩＭＳアプリケーションに対して特有である場合、またはＩＭＳアプリケーションフローのＩＰヘッダが構成されたパターンとマッチする場合、のうちの１つに基づいてＩＭＳアプリケーションのための非３ＧＰＰアクセスを通じてＩＭＳセッション連続性（ＳＣ）フローをトリガすることと、またはｂ）ＡＰＮがＩＭＳアプリケーションに対して特有でなく、ＩＭＳアプリケーションフローのＩＰヘッダが構成されたパターンにマッチしない場合、ＩＭＳアプリケーションまたは非ＩＭＳアプリケーションのための非３ＧＰＰアクセスを通じてＩＰモビリティフローをトリガすることと、のうちの１つを実行する、のためのものである。
【００１０】
本開示の利点は、あるＩＰアドレスから別のＩＰアドレスにＩＭＳセッションの転送を可能にし、ＩＭＳアプリケーションのためのセルとＷＬＡＮアクセス間のモビリティを可能にし、有効なＩＰアドレスを維持するすべてのアプリケーションのセッション連続性を可能にする、ことのうちの１つまたは複数を含む。
【００１１】
例示の目的として様々な態様が示され、説明される、以下の詳細な説明から、他の態様が当業者に対して容易に明らかになることが理解されよう。図面および詳細な説明は、本質的に例示的なものと見なされるべきであり、限定的なものと見なされるべきではない。
【図面の簡単な説明】
【００１２】
【図１】多元接続無線通信システムの例を説明する。
【図２】アクセスポイント／ユーザ装置（ＵＥ）システムの例示のブロック図を説明する。
【図３】異なるＵＥモビリティ選択肢を用いる例示の処理フローチャートを説明する。
【図４】モバイル（インターネットプロトコル）ＩＰネットワークのＩＰマルチメディアサブシステム（ＩＭＳ）セッションにモビリティを供給するための例示のフローチャートを説明する。
【図５】モバイル（インターネットプロトコル）ＩＰネットワークのＩＰマルチメディアサブシステム（ＩＭＳ）セッションにモビリティを供給するための処理を実行するためのメモリとともに通信するプロセッサを備える例示のデバイスを説明する。
【図６】モバイル（インターネットプロトコル）ＩＰネットワークのＩＰマルチメディアサブシステム（ＩＭＳ）セッションにモビリティを供給するために適切な例示のデバイスを説明する。
【発明を実施するための形態】
【００１３】
添付の図面と関連して以下に記載する詳細な説明は、本開示の様々な態様を説明することを意図したものであり、本開示を実施できる唯一の態様を表わすことを意図したものではない。本開示で記載された各態様は、本開示の例示または説明として単に提供されるものであり、必ずしも他の態様にわたって好まれるまたは有利なものとして解釈されるべきではない。詳細な説明は、本開示の完全な理解を与えるための具体的な詳細を含む。しかしながら、本開示は、これらの具体的な詳細なしに実施できることは当業者には明らかであろう。いくつかの例では、本開示の概念を不明瞭にしないように、既知の構造およびデバイスをブロック図の形式で示す。頭文字および他の記述用語は、単に便宜のためと明瞭さのために使用され、本開示の範囲を制限するようには意図されない。
【００１４】
説明を簡単にするために、方法を一連の行為として示し説明するが、いくつかの行為は、１つまたは複数の態様によれば、本明細書で示し説明する順序とは異なる順序で、および／または他の行為と同時に行われるので、方法は行為の順序によって限定されないことを理解および諒解されたい。たとえば、方法は、状態図など、一連の相互に関係する状態または事象として代替的に表現できることを、当業者は理解および諒解するであろう。さらに、１つまたは複数の態様による方法をインプリメントするために、説明されるすべての行為が必要とされるわけではない。
【００１５】
本明細書で説明する技法は、符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、シングルキャリア周波数分割多元接続（ＳＣ−ＦＤＭＡ）ネットワークおよび他のネットワークなど様々なワイヤレス通信ネットワークに対して使用できる。「ネットワーク」および「システム」という用語は、しばしば互換的に使用される。ＣＤＭＡネットワークは、ＵＴＲＡ（Universal Terrestrial Radio Access）、ＣＤＭＡ２０００などの無線技術をインプリメントすることができる。ＵＴＲＡは、広帯域−ＣＤＭＡ（Ｗ−ＣＤＭＡ）および低チップレート（ＬＣＲ）を含む。ＣＤＭＡ２０００は、ＩＳ−２０００、ＩＳ−９５、およびＩＳ−８５６規格をカバーする。ＴＤＭＡシステムはＧＳＭ（登録商標）（Global System for Mobile Communications）などの無線技術をインプリメントすることができる。ＯＦＤＭＡシステムは、Ｅｖｏｌｖｅｄ  ＵＴＲＡ（Ｅ−ＵＴＲＡ）、ＩＥＥＥ  ８０２．１１、ＩＥＥＥ  ８０２．１６、ＩＥＥＥ  ８０２．２０、フラッシュ−ＯＦＤＭ（登録商標）などの無線技術をインプリメントすることができる。ＵＴＲＡおよびＥ−ＵＴＲＡは、ＵＭＴＳ（Universal Mobile Telecommunication System）の一部である。ＬＴＥ（Long Term Evolution）は、Ｅ−ＵＴＲＡを使用するＵＭＴＳの来たるリリースである。ＵＴＲＡ、Ｅ−ＵＴＲＡ、ＵＭＴＳ、ＬＴＥ、およびＧＳＭは、「3rd Generation Partnership Project」（３ＧＰＰ）という名称の団体からの文書において説明される。ＣＤＭＡ２０００は、「3rd Generation Partnership Project 2」（３ＧＰＰ２）という名称の団体からの文書において説明される。これらの様々な無線技術および規格は、当業者において既知である。
【００１６】
図１は、多元接続ワイヤレス通信システムの例を説明する。アクセスポイント１０（ＡＰ）は、あるグループは、４と６であり、別のグループは、８と１１であり、追加のグループは、１２と１４である、複数のアンテナグループを含む。図１では、アンテナグループ毎に２つのアンテナが示されているが、グループ毎により多いまたはより少ないアンテナを利用することができる。ユーザ装置１６（ＵＥ）は、アンテナ１２および１４と通信しており、アンテナ１２および１４は、順方向リンク２０を通じてユーザ装置１６に情報を送信し、逆方向リンク１８を通じてユーザ装置１６から情報を受信する。モバイルデバイス２２は、アンテナ６および８と通信しており、アンテナ６および８は、順方向リンク２６を通じてユーザ装置２２に情報を送信し、逆方向リンク２４を通じてユーザ装置２２から情報を受信する。周波数分割複信（ＦＤＤ）システムでは、通信リンク１８、２０、２４、および２６は、通信のために異なる周波数を使用し得る。例えば、順方向リンク２０は、逆方向リンク１８で使用された周波数と異なる周波数を使用し得る。
【００１７】
アンテナの各グループおよび／またはそれらが通信するように指定されたエリアを、アクセスポイントのセクタとしばしば呼ぶことができる。実施形態では、アクセスポイント１０によってカバーされるエリアのセクタ中のユーザ装置と通信するように各アンテナグループを設計することができる。
【００１８】
順方向リンク２０および２６を通じた通信では、アクセスポイント１０の送信アンテナは、異なるユーザ装置１６および２４についての順方向リンクの信号対雑音比を改善するためにビームフォーミングを利用することができる。さらに、そのカバレージ中にランダムに散在するユーザ装置に送信するためにビームフォーミングを使用するアクセスポイントは、アクセスポイントが単一のアンテナを通じてすべてのユーザ装置に送信するより隣接セル内のユーザ装置は干渉を受けにくい。
【００１９】
アクセスポイントは、端末と通信するために使用される固定局となることができ、さらに、アクセスノード、ノードＢまたは他のある用語で呼ばれることができる。ユーザ設備（ＵＥ）は、さらに、アクセス端末（ＡＴ）、ワイヤレス通信デバイス、端末または他のある用語で呼ばれ得る。
【００２０】
図２は、例示のアクセスポイント／ＵＥシステム１００を説明するブロック図である。当業者は、図１に説明されたアクセスポイント／ＵＥシステム１００が周波数分割多元接続（ＦＤＭＡ）環境、直交周波数分割多元接続（ＯＦＤＭＡ）環境、符号分割多元接続（ＣＤＭＡ）環境、広帯域符号分割多元接続（ＷＣＤＭＡ）環境、時分割多元接続（ＴＤＭＡ）環境、空間分割多元接続（ＳＤＭＡ）環境または任意の他の適切なワイヤレス環境でインプリメントされることを理解するだろう。
【００２１】
アクセスポイント／ＵＥシステム１００は、アクセスポイント１０１（例えば基地局）およびユーザ装置またはＵＥ２０１（例えばワイヤレス通信デバイス）を含む。ダウンリンク区間では、アクセスポイント１０１（例えば基地局）は、トラフィックデータを受理し、フォーマットし、コード化し、インターリーブし、変調（またはシンボルマップ）し、変調シンボル（例えば、データシンボル）を提供する送信（ＴＸ）データプロセッサＡ  １１０を含む。ＴＸデータプロセッサＡ  １１０は、シンボル変調器Ａ  １２０と通信している。シンボル変調器Ａ  １２０は、データシンボルおよびダウンリンクパイロットシンボルを受理し処理して、シンボルのストリームを提供する。１つの態様では、シンボル変調器Ａ  １２０は、トラフィックデータを変調（またはシンボルマップ）し、変調シンボル（例えば、データシンボル）を提供する。１つの態様では、シンボル変調器Ａ  １２０は、構成情報を提供するプロセッサＡ  １８０と通信している。シンボル変調器Ａ  １２０は、送信機ユニット（ＴＭＴＲ）Ａ  １３０と通信している。シンボル変調器Ａ  １２０は、データシンボルおよびダウンリンクパイロットシンボルを多重化し、送信機ユニットＡ  １３０にそれらを供給する。
【００２２】
送信される各シンボルは、データシンボル、ダウンリンクパイロットシンボルまたは０の信号値であり得る。ダウンリンクパイロットシンボルは、各シンボル期間に連続的に送信され得る。１つの態様では、ダウンリンクパイロットシンボルは、周波数分割多重（ＦＤＭ）である。別の態様では、ダウンリンクパイロットシンボルは、直交周波数分割多重（ＯＦＤＭ）である。また別の態様では、ダウンリンクパイロットシンボルは、符号分割多重（ＣＤＭ）である。例えば１つの態様では、送信機ユニットＡ  １３０は、ワイヤレス送信のために適切なアナログダウンリンク信号を生成するために、シンボルのストリームを受信し、１つまたは複数のアナログ信号に変換し、さらに、アナログ信号を調整、例えば、増幅し、フィルタに掛ける、および／または周波数アップコンバートする。その後、アナログダウンリンク信号は、アンテナ１４０を通じて送信される。
【００２３】
ダウンリンク区間では、ＵＥ２０１は、アナログダウンリンク信号を受信し受信機ユニット（ＲＣＶＲ）Ｂ  ２２０にアナログダウンリンク信号を入力するためのアンテナ２１０を含む。１つの態様では、受信機ユニットＢ  ２２０は、アナログダウンリンク信号を第１の「調整された」信号に調整、例えば、フィルタに掛け、増幅し、周波数ダウンコンバートする。その後、第１の「調整された」信号は、サンプリングされる。受信機ユニットＢ  ２２０は、シンボル復調器Ｂ  ２３０と通信している。シンボル復調器Ｂ  ２３０は、受信機ユニットＢ  ２２０から出力された第１の「調整され」また、「サンプリングされた」信号（例えばデータシンボル）を復調する。当業者は、代替手段がシンボル復調器Ｂ  ２３０のサンプリングプロセスをインプリメントすることを理解するだろう。シンボル復調器Ｂ  ２３０は、プロセッサＢ  ２４０と通信している。プロセッサＢ  ２４０は、シンボル復調器Ｂ  ２３０からダウンリンクパイロットシンボルを受信し、ダウンリンクパイロットシンボル上でチャネル推定を実行する。１つの態様では、チャネル推定は、現在の伝播環境を特徴づけるプロセスである。シンボル復調器Ｂ  ２３０は、プロセッサＢ  ２４０からダウンリンク区間のための周波数応答推定値を受信する。ダウンリンクパス上のデータシンボル推定値を取得するために、シンボル復調器Ｂ  ２３０は、データシンボル上でデータ復調を実行する。ダウンリンクパス上のデータシンボル推定値は、送信されたデータシンボルの推定値である。シンボル復調器Ｂ  ２３０は、さらに、ＲＸデータプロセッサＢ  ２５０と通信している。
【００２４】
ＲＸデータプロセッサＢ  ２５０は、シンボル復調器Ｂ  ２３０からダウンリンクパス上のデータシンボル推定値を受信し、トラフィックデータを復元するために、例えば、ダウンリンクパス上でデータシンボル推定値を復調（つまりシンボルデマップ）し、デインタリーブする、および／または、復号する。１つの態様では、シンボル復調器Ｂ  ２３０およびＲＸデータプロセッサＢ  ２５０による処理は、シンボル変調器Ａ  １２０およびＴＸデータプロセッサＡ  １１０それぞれによる処理と相補的である。
【００２５】
アップリンク区間では、ＵＥ２０１は、ＴＸデータプロセッサＢ  ２６０を含む。ＴＸデータプロセッサＢ  ２６０は、データシンボルを出力するために、トラフィックデータを受理し、処理する。ＴＸデータプロセッサＢ  ２６０は、シンボル変調器Ｄ  ２７０と通信している。シンボル変調器Ｄ  ２７０は、アップリンクパイロットシンボルと共にデータシンボルを受理し多重化し、変調を実行し、シンボルのストリームを提供する。１つの態様では、シンボル変調器Ｄ  ２７０は、構造情報を提供するプロセッサＢ  ２４０と通信している。シンボル変調器Ｄ  ２７０は、送信機ユニットＢ  ２８０と通信している。
【００２６】
送信される各シンボルは、データシンボル、アップリンクパイロットシンボルまたは０の信号値であり得る。アップリンクパイロットシンボルは、各シンボル期間に連続的に送信され得る。１つの態様では、アップリンクパイロットシンボルは、周波数分割多重（ＦＤＭ）である。別の態様では、アップリンクパイロットシンボルは、直交周波数分割多重（ＯＦＤＭ）である。また別の態様では、アップリンクパイロットシンボルは、符号分割多重（ＣＤＭ）である。例えば１つの態様では、送信機ユニットＢ  ２８０は、ワイヤレス送信のために適切なアナログダウンリンク信号を生成するために、シンボルのストリームを受信し、１つまたは複数のアナログ信号に変換し、さらに、アナログ信号を調整、例えば、増幅し、フィルタに掛ける、および／または周波数アップコンバートする。その後、アナログダウンリンク信号は、アンテナ２１０を通じて送信される。
【００２７】
アップリンク区間では、ＵＥ２０１からのアナログアップリンク信号は、サンプルを得るためにアンテナ１４０によって受信され、受信機ユニットＡ  １５０によって処理される。１つの態様では、受信機ユニットＡ  １５０は、アナログアップリンクリンク信号を第２の「調整された」信号に調整、例えば、フィルタに掛け、増幅し、周波数ダウンコンバートする。その後、第２の「調整された」信号は、サンプリングされる。受信機ユニットＡ  １５０は、シンボル復調器Ｃ  １６０と通信している。当業者は、代替手段がシンボル復調器Ｃ  １６０のサンプリングプロセスをインプリメントすることを理解するだろう。シンボル復調器Ｃ  １６０は、アップリンクパス上のデータシンボル推定値を取得するためにデータシンボル上でデータ復調を実行し、その後、ＲＸデータプロセッサＡ  １７０にアップリンクパス上のアップリンクパイロットシンボルおよびデータシンボル推定値を提供する。アップリンクパス上のデータシンボル推定値は、送信されたデータシンボルの推定値である。ＲＸデータ処理装置Ａ  １７０は、ワイヤレス通信デバイス２０１によって送信されたトラフィックデータを復元するために、アップリンクパス上のデータシンボル推定値を処理する。シンボル復調器Ｃ  １６０は、さらにプロセッサＡ  １８０と通信している。プロセッサＡ  １８０は、アップリンク区間上で送信する各アクティブ端末のチャネル推定を実行する。１つの態様では、複数の端末は、インターリーブされた、パイロットサブバンドのセットをそれぞれ割り当てられた複数の端末上でアップリンク区間上に同時にパイロットシンボルを送信し得る。
【００２８】
プロセッサＡ  １８０およびプロセッサＢ  ２４０は、それぞれアクセスポイント１０１（例えば、基地局）およびＵＥ２０１での動作を命令（つまり、制御し、調整する、または管理する、など）する１つの態様では、プロセッサＡ  １８０およびプロセッサＢ  ２４０のどちらかまたは両方は、プログラムコードおよび／またはデータの格納のために１つまたは複数の記憶ユニット（図示されない）と関連する。１つの態様では、プロセッサＡ  １８０またはプロセッサＢ  ２４０のどちらかまたは両方は、それぞれのアップリンク区間およびダウンリンク区間のための周波数およびインパルス応答推定値を導出するために計算を実行する。
【００２９】
１つの態様では、アクセスポイント／ＵＥシステム１００は、多元接続システムである。多元接続システム（例えば、周波数分割多元接続（ＦＤＭＡ）、直交周波数分割多元接続（ＯＦＤＭＡ）、符号分割多元接続（ＣＤＭＡ）、時分割多元接続（ＴＤＭＡ）、空間分割多元接続（ＳＤＭＡ）など）について、複数の端末は、アップリンク区間上で同時に送信し、複数のＵＥにアクセスすることができる。１つの態様では、多元接続システムについて、パイロットサブバンドは、異なる端末の間で共有され得る。チャンネル推定技術は、各端末のためのパイロットサブバンドが（場合によりバンドエッジを除いて）全動作帯域にわたる場合に使用される。そのようなパイロットサブバンド構造は、各端末のために周波数ダイバーシティを取得することが望ましい。
【００３０】
当業者は、限定されないがＵＭＴＳ（Universal Mobile Telecommunications System）、広域符号分割多元接続（ＷＣＤＭＡ）、ＧＳＭ（もともとGroupe Special Mobileである、Global System for Mobile Communications）、ＧＳＭ／ＧＰＲＳ／ＥＤＧＥ、ロングタームエボリューション（ＬＴＥ）、ロングタームエボリューション−アドバンスド（ＬＴＥ−Ａ）、ＩＳ−９５、ＣＤＭＡ２０００、ＥＶＤＯ（Evolution-Data Optimized）またはＵＭＢ（Ultra Mobile Broadband）などを含む他のワイヤレスシステムによって影響されないことを理解するだろう。
【００３１】
１つの態様では、ワイヤレスネットワークは、インターネットプロトコル（ＩＰ）音声電話技術、メッセージング、ファイル転送、ビデオブロードキャスト、オーディオブロードキャスト、電子メール、などのようなＩＰアプリケーションに使用され得る。インターネットプロトコル（ＩＰ）は、有線またはワイヤレス全体で、任意のタイプの移送技術によって搬送されるユーザアプリケーションおよびサービスの極めて多様なセットのために普遍的な相互作用機能を提供することによって基本的な相互作用ブロック（building block）としてサービスする。１つの例において、ＩＰアドレスは、ＩＰユーザおよびネットワークノードのユビキタスな識別子としてサービスする。ＩＰアドレスは、複数のデータグラムに分解された特定のメッセージのためにソースおよび目的地の両方で識別されるためのＩＰデータグラムの基本コンポーネントである。
【００３２】
ＩＰに対する拡張プロトコルとして、ＩＰモビリティとしても知られるモバイルＩＰは、それらの永続的なＩＰアドレスを保持する一方で時間とともに様々なネットワークに行き来するモバイルユーザを容認するネットワークプロトコルを提供する。ＩＰモビリティは、そのホームネットワーク内のユーザのための永続的なアドレスを識別するためのホームアドレス、およびそのホームアドレスから離れたユーザを識別するためのケアアドレス（ＣｏＡ）の２つのタイプのアドレスタイプを用いる。
【００３３】
代替のＩＰモビリティアプローチは、プロキシモバイルＩＰとして知られている。プロキシモバイルＩＰが使用される場合、モバイルＩＰクライアントは、ネットワークエンティティ内で終了するので、端末は、永続的なアドレスから異なるアドレスを割り当てられる必要がない。
【００３４】
ＩＰモビリティは、すべてのＩＰアプリケーションのためのモビリティサポートを提示する。ＩＭＳアプリケーションのようなあるタイプのアプリケーションについて、ＩＰモビリティの代替手段は、ＩＰマルチメディアサブシステム（ＩＭＳ）セッション連続性（ＳＣ）として知られている。ＩＭＳは、ワイヤレスネットワーク内でＩＰを使用してマルチメディアサービスアーキテクチャをサポートする。ＩＭＳは、様々なユーザアプリケーションのためにＩＰベースのインフラストラクチャを使用してネットワーク収束（network convergence）を容易にすることを目指す。ＩＭＳは、マルチメディアサービス統合、モビリティ、ベンダー独立、レガシーネットワーク相互作用など、のような多くのユーザ便益を提示する。
【００３５】
１つの例において、ＩＭＳは、ＩＥＴＦ（Internet Engineering Task Force）プロトコルに基づく。ＩＭＳで使用される基本プロトコルは、セッション初期化プロトコル（ＳＩＰ）として知られている。ＳＩＰは、ユーザセッションの構築、修正および終了のシグナリング目的のために使用されるアプリケーション層プロトコルである。
【００３６】
１つの態様では、ＩＭＳコアネットワークアーキテクチャは、トランスポート層、制御層、サービス層の３層から成っている。トランスポート層は、携帯電話、携帯情報端末（ＰＤＡ）、ラップトップコンピュータ、有線電話、ＩＰ電話など、のようなＩＭＳユーザデバイスにネットワークアクセスを提供する。トランスポート層へのユーザアクセスは、有線またはワイヤレスメディアを経由するものであり得る。制御層は、様々な呼セッション制御機能（ＣＳＣＦ：call session control function）をサポートする。サービス層は、エンドユーザに様々なマルチメディアサービスを提供する。１つの例において、ＳＩＰは、ユーザアプリケーションと制御層との間のインターフェースとして使用される。
【００３７】
ワイヤレスネットワークとそのデバイスは、同様の機能性のためのＩＰモビリティおよびＩＭＳの両方をサポートし得る。例えば、ＩＭＳセッション連続性は、１つのＩＰアドレスから別のＩＰアドレスへのＩＭＳセッションの転送を可能にする。ＩＭＳは、（すべてのメディアに対して）十分な転送を提供するまたは（あるメディアに対して）部分的な転送を提供し得る。また、ＩＭＳは、ＩＭＳアプリケーションのためのセルラとワイヤレスローカルエリアネットワーク（ＷＬＡＮ）アクセスとの間のモビリティを可能にすることができる。別の例において、ＩＰモビリティは、さらにアプリケーションで見られるような有効ＩＰアドレスを維持することによって全てのアプリケーションのセッション連続性を可能にし得る。例えば、モバイルＩＰは、さらにセルラをＷＬＡＮモビリティに使用し得る。
【００３８】
１つの例において、ユーザ装置（ＵＥ）は、ＩＰモビリティおよびＩＭＳセッション連続性（ＳＣ）のための手順をトリガする。ＩＰモビリティの場合、ＵＥは、ＤＳＭＩＰｖ６（Dual Stack Mobile Internet Protocol version 6）を通じてＢＵ（Binding Update）を送信する、またはＰＭＩＰｖ６（Proxy Mobile Internet Protocol version 6）を通じて添付手順（attach procedure）での「ハンドオーバ」を示す。ＩＭＳ  ＳＣの場合、ＵＥは、ＲＥ＿ＩＮＶＩＴＥメッセージを送信する。１つの態様では、ＵＥは、新しいアクセスが利用可能な場合にＩＭＳ  ＳＣまたはＩＰモビリティがトリガされるべきかどうか知り決定する必要がある。１つの例において、ＩＰモビリティが実行される場合、ＩＰアドレスに変更がないので、ＩＭＳ  ＳＣは実行されない。
【００３９】
図３は、異なるＵＥモビリティ選択肢を用いる例示の処理フローチャートを説明する。１つのオプションでは、ＵＥは、３ＧＰＰアクセスを介してＩＭＳアクセスポイントネーム（ＡＰＮ）に接続する。別のオプションでは、非３ＧＰＰ  ＡＰＮが利用可能である場合、ＵＥは、以下の３つの選択肢を有する：  
・選択肢１：ＵＥは、ＩＰモビリティを使用する、例えば、ＵＥは、ＤＳＭＩＰｖ６プロトコル（つまり、ＡＰＮ＝ＩＭＳに対してＡＰＮ＝ｌｏｃａｌ＋ＢＵ）を使用し、ＵＥは、全てまたはあるＩＭＳフローを非３ＧＰＰ  ＡＰＮに移す；  
・選択肢２：ＵＥは、新規の公衆データネットワーク（ＰＤＮ）接続からＡＰＮ＝ＩＭＳ＊（ＩＭＳについて同じＡＰＮまたは装飾のいずれか、つまりソースルート識別子）に接続された新規のＩＰアドレスと共に直接ＩＭＳセッション連続性を使用する；  
・選択肢３：ＵＥは、ネットワークベースのモビリティ（ＡＰＮ＝ＩＭＳ）を使用し、ＩＰ０が保存される；
【００４０】
１つの例において、選択肢３を選択する処理は、選択肢１と同様である。１つの態様では、アクセスポイントネーム（ＡＰＮ）は、汎用パケット無線サービス（ＧＰＲＳ）伝達サービス、例えば、ＩＰ接続、ワイヤレスアプリケーションプロトコル（ＷＡＰ）ゲートウェイ接続、ショートメッセージサービス（ＳＭＳ）サービスなど、を識別する。
【００４１】
図３を参照して、ＵＥは、選択肢１と２との間で選択する；すなわち、ＵＥは、ＡＰＮに基づいてＩＭＳ  ＳＣまたはＩＰ（フロー）モビリティを実行するかどうかを決定する。例えば、ＵＥは、ＩＭＳアプリケーションに特有であるＡＰＮに対してＩＭＳ  ＳＣをトリガし、ＵＥは、ＩＭＳアプリケーションにのみ関連しないＡＰＮに対してＩＰ（フロー）モビリティをトリガする。
【００４２】
１つの例として、ＵＥは、３ＧＰＰ  ＬＴＥネットワークに所属し、１つがＡＰＮ＝ＩＭＳであり、他方がＡＰＮ＝Ｉｎｔｅｒｎｅｔである２つの公衆データネットワーク（ＰＤＮ）に接続される。別の例において、ワイヤレスローカルエリアネットワーク（ＷＬＡＮ）は、さらに利用可能であり、ＵＥは、３ＧＰＰ  ＬＴＥカバレージを失う。この場合、ＵＥは、アクティブフローをＷＬＡＮに移す。また別の例において、ＵＥは、ＩＰモビリティとＩＭＳ  ＳＣの２つの異なる手順をトリガするこの場合、ＵＥは、ＡＰＮ＝Ｉｎｔｅｒｎｅｔに関連した公衆データネットワーク（ＰＤＮ）接続のためのみにＩＰモビリティをトリガする。さらにこの場合、ＵＥは、ＡＰＮ＝ＩＭＳへの新規の公衆データネットワーク（ＰＤＮ）接続を作成し、新規のＩＰアドレスを取得し、ＩＭＳ  ＳＣを実行する。
【００４３】
１つの態様では、ＵＥは、ＵＥがＩＰモビリティとＩＭＳ  ＳＣとの間で選択することを可能にするＩＰモビリティを要求するＡＰＮのリストおよびＩＭＳ  ＳＣを要求するＡＰＮを用いて構成される。１つの例において、ＵＥは、３ＧＰＰ  ２３．４０２仕様書を通じてアクセスネットワーク発見および選択機能（ＡＮＤＳＦ：access network discovery and selection function）を用いて構成される。この仕様書のリリース８では、ＩＰモビリティ手順のために使用されるＡＮＤＳＦは、アクセスネットワーク選択に関するポリシーを供給する。１つの態様では、ポリシーが有効であるためにＡＰＮのリストを含むようにポリシーを強化することができる。例えば、ポリシーのための１つのＡＰＮの欠如は、ＡＰＮおよびＩＰモビリティがそのＡＰＮへのＰＤＮ接続のためにトリガされるべきでないＩＰモビリティに提供可能でないことを示唆する。
【００４４】
別の態様では、ＵＥは、新規のデータ構造とともに構成される。データ構造は、ＩＭＳ  ＳＣが使用されるべきＡＰＮのリストおよびＩＰモビリティが使用されるべきＡＰＮのリストを含む。
【００４５】
図４は、モバイル（インターネットプロトコル）ＩＰネットワーク内のＩＰマルチメディアサブシステム（ＩＭＳ）セッションにモビリティを供給するための例示のフローチャート図を説明する。ブロック４１０で、３ＧＰＰアクセスを通じてアクセスポイントネーム（ＡＰＮ）に接続する。１つの例において、ＡＰＮは、ＩＰマルチメディアサブシステム（ＩＭＳ）アクセスポイントネーム（ＡＰＮ）である。
【００４６】
ブロック４１０に続いて、ブロック４２０で、非３ＧＰＰアクセスが利用可能かどうか決定する。１つの態様では、非３ＧＰＰアクセスが使用できるかは、非３ＧＰＰアクセスが利用可能であるという信号インジケーションを受信することによってわかる。しかしながら、他の多くのプロセスが、本開示の範囲および精神に影響しないで使用することができる、非３ＧＰＰアクセスが利用可能かどうかを決定するために知られている。
【００４７】
ブロック４２０に続いて、非３ＧＰＰアクセスが利用可能でない場合、何の行為も取られず、ＵＥは、３ＧＰＰアクセスが利用不可能にならない限り３ＧＰＰアクセスを介してＩＭＳ  ＡＰＮに接続し続ける。非３ＧＰＰアクセスが利用可能な場合、ＡＰＮが使用しているまたは使用することを望むＩＭＳアプリケーションに特有であるか、またはＩＭＳアプリケーションフローのＩＰヘッダが構成されたパターンとマッチするか、の少なくとも１つを決定する。１つの態様では、ＩＭＳアプリケーションは、非３ＧＰＰアクセスを求めるユーザ装置によって使用されているまたは使用されことが望まれるアプリケーションである。１つの例において、ＩＭＳアプリケーションは、ビデオ会議、映画のダウンロード、テレビ番組、ポッドキャストなどのようなものであるがこれらに限定されないマルチメディアサービスである。当業者は、様々に構成されたパターンが、本開示の精神または範囲に影響しない、例えば、操作パラメータ、設計者選択、および／または特定のアプリケーションパラメータに基づいて、使用され得る。
【００４８】
３ＧＰＰ  ２３．４０２仕様書によるアクセスネットワーク発見および選択機能（ＡＤＮＳＤ）は、例えば、ＡＰＮがＩＭＳアプリケーションに特有かどうか決定するために使用され得る。１つの例において、ＡＰＮに特有のＩＭＳアプリケーションのリストは、ブロック４３０で決定するステップによって使用される。当業者は、他のプロセスが本開示の範囲または精神に影響されないで、ＡＰＮがＩＭＳアプリケーションに特有かどうか決定するために使用できることを理解するだろう。
【００４９】
ブロック４３０における決定がはいである場合、その後、ブロック４４０において、ＩＭＳアプリケーションのための非３ＧＰＰアクセスを通じてＩＭＳセッション連続性（ＳＣ）フローをトリガする。１つ例において、ＩＭＳ  ＳＣフローをトリガすることは、公衆データネットワーク（ＰＤＮ）からアクセスポイントネーム（ＡＰＮ）への新規のＩＰアドレスを取得することを含む。この第２のＡＰＮは、ＩＭＳアプリケーションに特有であることを決定したＡＰＮと同じであるまたは同じでない。
【００５０】
ブロック４４０に続いて、ブロック４４５において、ＡＰＮが第２のＩＭＳアプリケーションに特有かどうか決定し、はいの場合、ＩＭＳ  ＳＣを第２のＩＭＳアプリケーションと関連させる。ブロック４４５のステップは、すべてのＩＭＳアプリケーションに対して繰り返される。ブロック４３０の決定がいいえである場合、ブロック４５０において、ＩＭＳアプリケーションまたは非ＩＭＳアプリケーションのための非３ＧＰＰアクセスを通じてＩＰモビリティフローをトリガする。１つ例において、ＤＳＭＩＰｖ６プロトコルは、非３ＧＰＰアクセスを通じてＩＰモビリティフローをトリガするために使用される。別の例において、ＩＭＳ  ＳＣフローに関連した１つまたは複数のＡＰＮおよびＩＰモビリティフローに関連した１つまたは複数のＡＰＮを有するＡＰＮのリストを含むデータ構造を定義する。言いかえれば、ユーザ装置は、ＡＰＮのリストを有するデータ構造を定義し得る。ＡＰＮのリストは、ＩＭＳ  ＳＣフローが使用されるべき１つまたは複数のＡＰＮおよび／またはＩＰモビリティフローが使用されるべき１つまたは複数のＡＰＮを含み得る。
【００５１】
１つの例において、非３ＧＰＰアクセスは、ＷｉＦｉ、ワイヤレスローカルアクセスネットワーク（ＷＬＡＮ）、ＷｉＭａｘ（Worldwide Interoperability for Microwave Access）、ｃｄｍａ２０００、ｃｄｍａ  １ｘＥＶＤＯなどを含み、３ＧＰＰアクセスは、広帯域符号分割多元接続（ＷＣＤＭＡ）、ＵＭＴＳ（Universal Mobile Telecommunication System）、ＬＴＥ（Long Term Evolution）、ＬＴＥ−Ａ（Long Term Evolution-Advanced）などを含む。
【００５２】
当業者は、本開示の範囲および精神から外れずに、図４の例示のフローチャート図で開示されたステップは、それらの順序を交換することができることを理解するだろう。当業者は、さらに、本開示の範囲および精神に影響せずに、フローチャートで説明されたステップが唯一のものでなく、他のステップが含まれる、または例示のフローチャート図の１つまたは複数のステップが削除できることを理解するだろう。
【００５３】
当業者は、本開示に関連して記述された様々な実例となるコンポーネント、論理ブロック、モジュール、回路、および／またはアルゴリズムステップはが電子ハードウェア、ファームウェア、コンピュータソフトウェア、またはこれらの組み合わせとして実施されることをさらに了解するだろう。ハードウェア、ファームウェア、ソフトウェアとの相互置換性を明確に説明するために、実例となる様々なコンポーネント、ブロック、モジュール、回路、および／またはステップが、それらの機能の観点から一般的に上述された。そのような機能がハードウェアとしてインプリメントされるかソフトウェアとしてインプリメントされるかどうかは、システム全体に課された設計制約、及び特定のアプリケーションに依存する。当業者は、各特定のアプリケーションのために上述した機能を様々な方法でインプリメントすることができるが、このようなインプリメンテーションの決定は、本開示の範囲および精神から逸脱させるものとして解釈するべきでない。
【００５４】
例えば、ハードウェアインプリメンテーションに対して、１つまたは複数の特定用途集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールドプログラマブル・ゲートアレー（ＦＰＧＡ）、プロセッサ、コントローラ、マイクロコントローラ、マイクロプロセッサ、本明細書において説明された機能を実行するように設計された他の電子ユニット、またはそれらのものの組み合わせ内でインプリメントされることができる。ソフトウェアで、インプリメンテーションは、本明細書において説明された機能を実行するモジュール（例えば手順、機能など）であり得る。ソフトウェアコードは、メモリユニットに格納され、プロセッサユニットによって実行され得る。さらに、本明細書において説明された様々な実例となるフローチャート図、論理ブロック、モジュール、および／またはアルゴリズムステップは、技術的に既知の任意のコンピュータ可読媒体で処理するコンピュータ可読命令としてコード化される、または技術的に既知の任意のコンピュータプログラム製品でインプリメントされる。
【００５５】
１つ又は複数の例示において、本願明細書において説明されたステップまたは機能は、ハードウェア、ソフトウェア、ファームウェア、又はそれらの任意の組み合わせによって実行されうる。ソフトウェアによるインプリメントの場合、機能は、コンピュータ可読媒体上の１つ又は複数の命令又はコードとして格納又は送信されうる。コンピュータ可読媒体は、１つの場所から別の場所へのコンピュータプログラムの移動を容易にする任意の媒体を含む通信媒体とコンピュータ記憶媒体との両方を含む。記憶媒体は、コンピュータによってアクセスすることができる任意の利用可能な媒体であることができる。限定ではなく一例として、そのようなコンピュータ可読媒体は、ＲＡＭ、ＲＯＭ、ＥＥＰＲＯＭ、ＣＤ−ＲＯＭあるいはその他の光学ディスク記憶媒体、磁気ディスク記憶媒体あるいはその他の磁気記憶デバイス、又は、所望のプログラムコードを命令あるいはデータ構成の形式で搬送又は格納することができ、コンピュータによってアクセスすることができるその他任意の媒体を備えることができる。さらに、任意の接続が適宜、コンピュータ可読媒体と称される。例えば、ソフトウェアが、ウェブサイト、サーバ、又はその他のリモートソースから、同軸ケーブル、光ファイバケーブル、ツイストペア、デジタル加入者線（ＤＳＬ）、または例えば赤外線、ラジオ、及びマイクロウェーブのようなワイヤレス技術を用いて送信される場合、同軸ケーブル、光ファイバケーブル、ツイストペア、ＤＳＬ、又は例えば赤外線、ラジオ、及びマイクロウェーブのようなワイヤレス技術は、媒体の定義の内に含まれる。本明細書で用いられるようなディスク（disk）及びディスク（disc）は、コンパクト・ディスク（disc）（ＣＤ）、レーザ・ディスク（disc）、光ディスク（disc）、デジタル・バーサタイル・ディスク（disc）（ＤＶＤ）、フロッピー（登録商標）・ディスク（disk）、及びブルーレイ・ディスク（disc）を含む。上記の組み合わせは、さらに、コンピュータ可読媒体の範囲内に含まれるべきである。
【００５６】
１つの例示において、本明細書において説明された実例となるコンポーネント、フローチャート図、論理ブロック、モジュール、および／またはアルゴリズムステップは、１つまたは複数のプロセッサでインプリメントされるまたは実行される。１つの態様では、プロセッサは、本明細書において説明された様々なフローチャート図、論理ブロック、および／またはモジュールをインプリメントまたは実行するためのプロセッサによって実行されるように、データ、メタデータ、プログラム命令などを格納するメモリと結合される。図５は、モバイル（インターネットプロトコル）ＩＰネットワークのＩＰマルチメディアサブシステム（ＩＭＳ）セッションにモビリティを供給するプロセスを実行するためにメモリ５２０と通信するプロセッサ５１０を備えるデバイス５００の例を説明する。１つの例において、デバイス５００は、図４に説明されたアルゴリズムをインプリメントするように使用される。１つの態様では、メモリ５２０は、プロセッサ５１０内にある。別の態様では、メモリ５２０は、プロセッサ５１０の外側にある。１つの態様では、プロセッサは、本明細書において説明された様々なフローチャート図、論理ブロック、および／またはモジュールをインプリメントまたは実行するための回路を含む。
【００５７】
図６は、モバイル（インターネットプロトコル）ＩＰネットワークのＩＰマルチメディアサブシステム（ＩＭＳ）セッションにモビリティを供給するのに適したデバイス６００の例を説明する。１つの態様では、デバイス６００は、ブロック６１０、６２０、６３０、６４０、６４５および６５０において、本明細書において説明されるようなモバイル（インターネットプロトコル）ＩＰネットワークのＩＰマルチメディアサブシステム（ＩＭＳ）セッションにモビリティの異なる態様を供給するように構成された１つまたは複数のモジュールを備える少なくとも１つのプロセッサによってインプリメントされる。例えば、各モジュールは、ハードウェア、ファームウェア、ソフトウェア、またはそれらの任意の組み合わせを備える。１つの態様では、デバイス６００は、さらに、少なくとも１つのプロセッサと通信する少なくとも１つのメモリによってインプリメントされる。
【００５８】
開示された態様における以上の記載は、任意の当業者をして、本開示を行なう又は使用することを可能とするように提供される。これらの態様に対する様々な変形例が、当業者には容易に明らかであり、本明細書において定義された一般原理は、本開示の範囲を逸脱することなく他の態様にも適用することができる。
以下に本件出願当初の特許請求の範囲に記載された発明を付記する。
［Ｃ１］
モバイル（インターネットプロトコル）ＩＰネットワークのＩＰマルチメディアサブシステム（ＩＭＳ）セッションにモビリティを供給する方法であって、
３ＧＰＰアクセスを通じてアクセスポイントネーム（ＡＰＮ）に接続することと、
非３ＧＰＰアクセスが利用可能かどうか決定することと、
前記ＡＰＮが使用しているまたは使用することを望むＩＭＳアプリケーションに特有であるか、またはＩＭＳアプリケーションフローのＩＰヘッダが構成されたパターンとマッチするか、のうちの少なくとも１つを決定することと、
ａ）前記ＡＰＮが前記ＩＭＳアプリケーションに特有である場合または前記ＩＭＳアプリケーションフローの前記ＩＰヘッダが前記構成されたパターンとマッチする場合、のうちの１つに基づいて前記ＩＭＳアプリケーションのための前記非３ＧＰＰアクセスを介してＩＭＳセッション連続性（ＳＣ）フローをトリガすることと、または
ｂ）前記ＡＰＮがＩＭＳアプリケーションに特有でなく、前記ＩＭＳアプリケーションフローの前記ＩＰヘッダが前記構成されたパターンとマッチしない場合、前記ＩＭＳアプリケーションまたは前記非ＩＭＳアプリケーションのための前記非３ＧＰＰアクセスを通じてＩＰモビリティフローをトリガすることと、
のうちの１つを実行することと、
を備える方法。
［Ｃ２］
前記ＡＰＮが前記ＩＭＳアプリケーションに特有かどうか決定するためにアクセスネットワーク発見および選択機能（ＡＮＤＳＦ）を使用することをさらに備える、
［Ｃ１］に記載の方法。
［Ｃ３］
前記非３ＧＰＰアクセスが利用可能かどうか決定するステップは、前記非３ＧＰＰアクセスが利用可能であるという受信信号インジケーションに基づく、
［Ｃ１］に記載の方法。
［Ｃ４］
前記ＩＭＳ  ＳＣフローをトリガするために公衆データネットワーク（ＰＤＮ）接続から第２のアクセスポイントネーム（ＡＰＮ）への新規のＩＰアドレスを取得することをさらに備える、
［Ｃ１］に記載の方法。
［Ｃ５］
前記ＡＰＮに特有な前記ＩＭＳアプリケーションのリストは、前記ＡＰＮが前記ＩＭＳアプリケーションに特有かどうか決定するために使用される、
［Ｃ４］に記載の方法。
［Ｃ６］
前記ＡＰＮが第２のＩＭＳアプリケーションに特有かどうか決定することをさらに備える、
［Ｃ５］に記載の方法。
［Ｃ７］
前記ＩＰモビリティをトリガするためにＤＳＭＩＰｖ６プロトコルまたはＰＭＩＰｖ６プロトコルを使用することをさらに備える、
［Ｃ１］に記載の方法。
［Ｃ８］
モバイル（インターネットプロトコル）ＩＰネットワークのＩＰマルチメディアサブシステム（ＩＭＳ）セッションにモビリティを供給するユーザ装置であって、プロセッサとメモリを備え、前記メモリは、
３ＧＰＰアクセスを通じてアクセスポイントネーム（ＡＰＮ）に接続することと、
非３ＧＰＰアクセスが利用可能かどうか決定することと、
前記ＡＰＮが使用しているまたは使用することを望むＩＭＳアプリケーションに特有であるか、またはＩＭＳアプリケーションフローのＩＰヘッダが構成されたパターンとマッチするか、のうちの少なくとも１つを決定することと、
ａ）前記ＡＰＮが前記ＩＭＳアプリケーションに特有である場合または前記ＩＭＳアプリケーションフローの前記ＩＰヘッダが前記構成されたパターンとマッチする場合、のうちの１つに基づいて前記ＩＭＳアプリケーションのための前記非３ＧＰＰアクセスを介してＩＭＳセッション連続性（ＳＣ）フローをトリガすることと、または
ｂ）前記ＡＰＮがＩＭＳアプリケーションに特有でなく、前記ＩＭＳアプリケーションフローの前記ＩＰヘッダが前記構成されたパターンとマッチしない場合、前記ＩＭＳアプリケーションまたは前記非ＩＭＳアプリケーションのための前記非３ＧＰＰアクセスを通じてＩＰモビリティフローをトリガすることと、
のうちの１つを実行することと、
を実行させるための前記プロセッサによって実行可能なプログラムコードを含む、ユーザ装置。
［Ｃ９］
前記メモリは、前記ＩＭＳ  ＳＣフローをトリガするための公衆データネットワーク（ＰＤＮ）接続から第２のアクセスポイントネーム（ＡＰＮ）への新規のＩＰアドレスを取得するためのプログラムコードをさらに備える、
［Ｃ８］に記載のユーザ装置。
［Ｃ１０］
前記第２のＡＰＮは、前記ＡＰＮと同じである、
［Ｃ１０］に記載のユーザ装置。
［Ｃ１１］
前記メモリは、前記ＩＰモビリティをトリガするためにＤＳＭＩＰｖ６プロトコルまたはＰＭＩＰｖ６プロトコルを使用するためのプログラムコードをさらに備える、
［Ｃ８］に記載のユーザ装置。
［Ｃ１２］
前記ＡＰＮがＩＰマルチメディアサブシステム（ＩＭＳ）アクセスポイントネーム（ＡＰＮ）である、
［Ｃ８］に記載のユーザ装置。
［Ｃ１３］
前記メモリは、前記ＡＰＮが前記ＩＭＳアプリケーションに特有かどうか決定するために前記ＡＰＮに特有なＩＭＳアプリケーションのリストを使用するためのプログラムコードをさらに備える、
［Ｃ１２］に記載のユーザ装置。
［Ｃ１４］
前記メモリは、前記ＩＭＳ  ＳＣフローと関連する１つまたは複数のＡＰＮ、またはＩＰモビリティフローに関連する１つまたは複数のＡＰＮ、を有するＡＰＮのリストを含むデータ構造を定義するためのプログラムコードをさらに備える、
［Ｃ８］に記載のユーザ装置。
［Ｃ１５］
モバイル（インターネットプロトコル）ＩＰネットワークのＩＰマルチメディアサブシステム（ＩＭＳ）セッションにモビリティを供給する装置であって、
３ＧＰＰアクセスを通じてアクセスポイントネーム（ＡＰＮ）に接続するための手段と、
非３ＧＰＰアクセスが利用可能かどうか決定するための手段と、
前記ＡＰＮが使用しているまたは使用することを望むＩＭＳアプリケーションに特有であるか、またはＩＭＳアプリケーションフローのＩＰヘッダが構成されたパターンとマッチするか、のうちの少なくとも１つを決定するための手段と、
ａ）前記ＡＰＮが前記ＩＭＳアプリケーションに特有である場合または前記ＩＭＳアプリケーションフローの前記ＩＰヘッダが前記構成されたパターンとマッチする場合、のうちの１つに基づいて前記ＩＭＳアプリケーションのための前記非３ＧＰＰアクセスを介してＩＭＳセッション連続性（ＳＣ）フローをトリガすることと、または
ｂ）前記ＡＰＮがＩＭＳアプリケーションに特有でなく、前記ＩＭＳアプリケーションフローの前記ＩＰヘッダが前記構成されたパターンとマッチしない場合、前記ＩＭＳアプリケーションまたは前記非ＩＭＳアプリケーションのための前記非３ＧＰＰアクセスを通じてＩＰモビリティフローをトリガすることと、
のうちの１つを実行するための手段と、
を備える装置。
［Ｃ１６］
前記ＩＭＳ  ＳＣフローをトリガするための手段は、公衆データネットワーク（ＰＤＮ）接続から第２のアクセスポイントネーム（ＡＰＮ）への新規のＩＰアドレスを取得するための手段をさらに備える、
［Ｃ１５］に記載の装置。
［Ｃ１７］
前記ＩＰモビリティをトリガするための手段は、前記ＩＰモビリティフローをトリガするためにＤＳＭＩＰｖ６プロトコルまたはＰＭＩＰｖ６プロトコルを使用することをさらに備える、
［Ｃ１５］に記載の装置。
［Ｃ１８］
前記ＩＭＳアプリケーションは、マルチメディアサービスである、
［Ｃ１５］に記載の装置。
［Ｃ１９］
前記コンピュータプログラムを格納するコンピュータ可読媒体であって、前記コンピュータプログラムの実行は、
３ＧＰＰアクセスを通じてアクセスポイントネーム（ＡＰＮ）に接続し、
非３ＧＰＰアクセスが利用可能かどうか決定し、
前記ＡＰＮが使用しているまたは使用することを望むＩＭＳアプリケーションに特有であるか、またはＩＭＳアプリケーションフローのＩＰヘッダが構成されたパターンとマッチするか、のうちの少なくとも１つを決定し、
ａ）前記ＡＰＮが前記ＩＭＳアプリケーションに特有である場合または前記ＩＭＳアプリケーションフローの前記ＩＰヘッダが前記構成されたパターンとマッチする場合、のうちの１つに基づいて前記ＩＭＳアプリケーションのための前記非３ＧＰＰアクセスを介してＩＭＳセッション連続性（ＳＣ）フローをトリガすることと、または
ｂ）前記ＡＰＮがＩＭＳアプリケーションに特有でなく、前記ＩＭＳアプリケーションフローの前記ＩＰヘッダが前記構成されたパターンとマッチしない場合、前記ＩＭＳアプリケーションまたは前記非ＩＭＳアプリケーションのための前記非３ＧＰＰアクセスを通じてＩＰモビリティフローをトリガすることと、
のうちの１つを実行する、
ためのものである、コンピュータ可読媒体。
［Ｃ２０］
前記コンピュータプログラムの実行は、さらに、前記ＡＰＮが前記ＩＭＳアプリケーションに特有かどうか決定するためにアクセスネットワーク発見および選択機能（ＡＮＤＳＦ）を使用するためのものである、
［Ｃ１９］に記載のコンピュータ可読媒体。
【図１】
0005345701.tif 000002
【図２】
0005345701.tif 000003
【図３】
0005345701.tif 000004
【図４】
0005345701.tif 000005
【図５】
0005345701.tif 000006
【図６】
0005345701.tif 000007